(57)【要約】本発明は、ヒンジを構成する軸（２）を中心として互いにピン接合された２つの半モールド（１’，１”）から構成され且つ前後に移動する移動キャリッジ（７）を介して開放状態と閉止状態との間で制御される２部品モールド（１）の駆動装置に関する。本発明にかかる装置は、各半モールド（１’，１”）は軸（５ａ，５ｂ）を中心として回転する部品（４ａ，４ｂ）にピン接合され、一端が上記ピボット部品（４ａ，４ｂ）にピン接合され且つ他端が上記移動キャリッジ（７）にピン接合された少なくとも１つの駆動ロッド（６ａ，６ｂ）によって上記部品（４ａ，４ｂ）が回転することを特徴とする。
2004528211.tif 000002
【特許請求の範囲】
【請求項１】
ヒンジを構成する軸（２）を中心として互いにピン接合された２つの半モールド（１’，１”）から構成され且つ前後に移動する移動キャリッジ（７）を介して開放状態と閉止状態との間で制御される２部品モールド（１）の駆動装置において、
各半モールド（１’，１”）は軸（５ａ，５ｂ）を中心として回転する部品（４ａ，４ｂ）にピン接合され、一端が上記ピボット部品（４ａ，４ｂ）にピン接合され且つ他端が上記移動キャリッジ（７）にピン接合された少なくとも１つの駆動ロッド（６ａ，６ｂ）によって上記部品（４ａ，４ｂ）が回転することを特徴とする駆動装置。
【請求項２】
各半モールド（１’，１”）は、少なくとも１つの連結ロッド（３ａ，３ｂ）により上記ピボット部品（４ａ，４ｂ）にピン接合されていることを特徴とする請求項１に記載の駆動装置。
【請求項３】
上記半モールド（１’，１”）のピボット部品（４ａ，４ｂ）の駆動ロッド（６ａ，６ｂ）は、共通の移動キャリッジ（７）にピン接合されていることを特徴とする請求項１または２に記載の駆動装置。
【請求項４】
上記移動キャリッジ（７）は、少なくとも２つのレール（８ａ，８ｂ）に滑動自在に設けられた横架材により構成され、該横架材に上記駆動ロッド（６ａ，６ｂ）がピン接合されていることを特徴とする請求項３に記載の駆動装置。
【請求項５】
上記移動キャリッジ（７）は、カム（１３）と係合する少なくとも１つのローラー（１２）によって前後に駆動されることを特徴とする請求項１乃至４のいずれか１項に記載の駆動装置。
【請求項６】
上記ローラー（１２）は、上記半モールド（１’，１”）を駆動するピボット部品（４ａ，４ｂ）の枢軸（５ａ，５ｂ）に対して相対的に固定された軸（１１）を中心として回転自在に設けられたロッド（１０）に取り付けられていることを特徴とする請求項５に記載の駆動装置。
【請求項７】
上記半モールド（１’，１”）の閉止状態において、上記半モールド（１’，１”）と上記ピボット部品（４ａ，４ｂ）との間に設けられた連結ロッド（３ａ，３ｂ）の長手軸線は、上記ピボット部品（４ａ，４ｂ）の枢軸（５ａ，５ｂ）を結ぶ直線に沿って互いにほぼ一致していることを特徴とする請求項２乃至６のいずれか１項に記載の駆動装置。
【請求項８】
ヒンジを構成する軸を中心として互いにピン接合された２つの半モールドによりそれぞれ構成され且つ請求項１乃至７のいずれか１項に記載の駆動装置がそれぞれ設けられた一連のモールド（１ａ，１ｌ）であって、
上記一連のモールド（１ａ，１ｌ）は、円または円弧に沿って配置され、
上記移動キャリッジは、共通のカム（１３）と係合するローラーによって駆動され、
上記一連のモールドは、上記カム（１３）に応じて駆動されることを特徴とする一連のモールド。
【請求項９】
上記一連のモールド（１ａ，１ｌ）は、所定の位置に固定された上記共通カム（１３）を中心として回転する要素に固定されていることを特徴とする請求項８に記載の一連のモールド。
【発明の詳細な説明】
【技術分野】
【０００１】
本発明は、ヒンジを構成する軸を中心としてピン接合された２つの半モールドから構成された２部品モールドのための駆動装置に関するものである。
【背景技術】
【０００２】
特に射出成形機および吹出し成形機のための２部品モールドまたは半モールドを製造する方法が知られている。
【０００３】
２つの半モールドはそれぞれキャリッジに装着されているのが通常であり、互いに平行に維持されながら互いに向かって駆動される。
【０００４】
フランス国特許第２，０５９，４４６号および２，０８８，５２３号並びにフランス国特許出願第２，７９３，７２２号に記載されているように、２つの半モールドがヒンジを構成する軸を中心として互いにピン接合され、前後に移動自在なキャリッジによって開放状態と閉止状態との間で制御されるような装置も、すでに知られて久しい。
【発明の開示】
【０００５】
本発明は、上述のタイプの２つの半モールドから構成された２部品モールドの駆動装置に関するものである。しかしながら、本発明は、各半モールドが軸を中心として回転する部品にピン接合され、一端が上記ピボット部品にピン接合され且つ他端が上記移動キャリッジにピン接合された少なくとも１つの駆動ロッドによって上記部品が回転することを特徴としている。
【０００６】
本発明の一態様によれば、各半モールドは、少なくとも１つの連結ロッドにより上記ピボット部品にピン接合されている。一方、上記半モールドのピボット部品の駆動ロッドは、共通の移動キャリッジにピン接合されている。この場合、さらに詳細には、上記移動キャリッジは、例えば少なくとも２つのレールに滑動自在に設けられた横架材により構成され、該横架材に上記駆動ロッドがピン接合されている。
【０００７】
好ましくは、上記移動キャリッジは、カムと係合する少なくとも１つのローラーによって前後に駆動される。このローラーは、たとえば、半モールドを駆動するピボット部品の枢軸に対して相対的に固定された軸を中心として回転するように設けられた連結ロッドに取り付けられている。
【０００８】
また、好ましくは、上記半モールドが閉止状態にあるとき、上記半モールドと上記ピボット部品との間に設けられた連結ロッドの長手軸線は、上記ピボット部品の枢軸を結ぶ直線に沿って互いにほぼ一致している。
【０００９】
この構成により、半モールドが、その閉止状態において他の補助手段がなくても、互いにロックされる。
【００１０】
また、本発明は、上述のタイプの駆動装置がそれぞれ設けられた一連のモールドに関するものである。そして、本発明は、上記一連のモールドが円または円弧に沿って配置され、上記移動キャリッジが共通のカムと係合するローラーによって駆動され、上記一連のモールドが上記カムに応じて駆動されることを特徴としている。
【００１１】
本発明の一態様によれば、上記一連のモールドは、所定の位置に固定された上記共通カムを中心として回転する要素に固定されている。しかしながら、モールドが固定され且つカムが回動する構成も想定することができる。
【発明を実施するための最良の形態】
【００１２】
本発明は、添付図面を参照した次の詳細な説明を読むことにより、さらに良く理解されるであろう。
【００１３】
図面に示すように、本発明にかかる装置は、ヒンジを構成する軸２を中心として互いにピン接合された２つの半モールド１’および１”から構成された２部品モールド１を駆動する。
【００１４】
各半モールド１’および１”は、連結ロッド３ａ，３ｂを介して、軸５ａ，５ｂを中心として回転可能に設けられた部品４ａ，４ｂにピン接合されている。
【００１５】
ピボット部品４ａ，４ｂは、駆動ロッド６ａ，６ｂによってそれぞれ回転駆動される。駆動ロッド６ａ，６ｂの両端は、部品４ａ，４ｂおよび移動キャリッジ７にそれぞれピン接合されている。
【００１６】
キャリッジ７は、２つのレール８ａ，８ｂに滑動自在に設けられた横架材により形成されている。そして、この横架材に、駆動ロッド６ａ，６ｂの一端がピン接合されている。
【００１７】
こうして、キャリッジ７の前後移動により、図１および図３に示す開放状態から図２および図４に示す閉止状態へ、またその逆に閉止状態から開放状態へ、装置が駆動されることが理解されるであろう。
【００１８】
キャリッジ７が移動すると、連結ロッド６ａ，６ｂの作用により部品４ａ，４ｂが回転する。こうして、連結ロッド３ａ，３ｂの半モールド１’および１”に対する作用により、モールドが閉じたり開いたりする。なお、枢軸２，５ａ，５ｂは、キャリッジ７の移動に対して相対的に固定されている。
【００１９】
押し引き連接ロッド９は、その一端がキャリッジ７に固定され、他端が軸１１を中心として回転自在な連結ロッド１０に固定されている。連結ロッド１０には、キャリッジ７を移動させるために、ローラー１２が設けられている。軸１１は、部品４ａ，４ｂの回転軸５ａ，５ｂに対して相対的に固定されている。
【００２０】
ローラー１２は、図３および図４に部分的に示すカム１３と係合している。
【００２１】
ローラー１２が図３および図４に参照符号１４で示す経路を追従するので、カム１３に対するローラー１２の位置に依存してモールドが開いたり（図３）閉じたり（図４）するのがわかるであろう。
【００２２】
ローラー１２およびカム１３は、相対移動しなければならない。たとえば、固定されている軸５ａ，５ｂ，２によって構成されたモールド１の支持部に対してカム１３が移動するか、あるいは固定されているカム１３に対してモールド全体およびその駆動装置が移動する。
【００２３】
図２および図４に特に示すように、閉止状態では、連結ロッド３ａ，３ｂの長手軸線が、ピボット部品４ａ，４ｂの枢軸５ａと５ｂとの間の直線に沿って互いにほぼ一致する。あるいは、枢軸５ａ，５ｂが、連結ロッド３ａ，３ｂのピン接合軸線を含む平面とほぼ同じ平面内に存在する。
【００２４】
この状態では、ピボット部品４ａ，４ｂとの連結ロッド３ａ，３ｂのピン接合軸線が、枢軸５ａと５ｂとを結ぶ直線から僅かにずれている。
【００２５】
こうして、キャリッジ７によって加えられた圧力だけでなく、キャリッジ７を意図的に後方移動させない限りモールドの開放を妨げるような構成により、モールドがロック状態に保持される。
【００２６】
図５は、１２個のモールド１ａ〜１ｌからなる一連のモールドを示している。各モールドには、図１〜図４を参照して説明したような駆動装置が設けられている。また、この装置は、たとえば熱塑性プラスチックのプレフォーム（予備成形物）から、ボトルのような中空体を吹出し成形するのに使用される。
【００２７】
図５に示すように、モールド１ａ〜１ｌは円の周囲に配置され、その円の中心には共通カム１３（この場合には固定されている）が配置されている。
【００２８】
前述した枢軸２，５ａ，５ｂ、連結ロッド１０の枢軸１１、およびキャリッジ７が滑動自在に設けられたレール８ａ，８ｂは、たとえばカム１３に対して回転自在なプレート部材（不図示）に固定されている（もちろん、可動カムおよび固定モールドを想定することも可能である）。
【００２９】
カムの形状は、図５に示すように、カム１３の角度位置に応じて１つまたは幾つかのモールドが開く（１ａ，１ｂ）か、あるいは閉じる（１ｃ〜１ｌ）ように、設計され且つ選択されている。
【図面の簡単な説明】
【００３０】
【図１】本発明にかかる装置の斜視図であって、モールドが開放状態になっているのを示す図である。
【図２】本発明にかかる装置の斜視図であって、モールドが閉止状態になっているのを示す図である。
【図３】図１における装置の上面図であって、駆動カムを部分的に示す図である。
【図４】図２における装置の上面図であって、駆動カムを部分的に示す図である。
【図５】共通のカムによって制御される駆動装置がそれぞれ設けられた一連の複数のモールドを示す上面図である。
【符号の説明】
【００３１】
１  ２部品モールド
１’，１”  半モールド
２，５ａ，５ｂ  枢軸
３ａ，３ｂ  連結ロッド
４ａ，４ｂ  ピボット部品
６ａ，６ｂ  駆動ロッド
７  キャリッジ
８ａ，８ｂ  レール
１２  ローラー
１３  カム
【国際公開パンフレット】
2004528211.tif 000003
2004528211.tif 000004
2004528211.tif 000005
2004528211.tif 000006
2004528211.tif 000007
2004528211.tif 000008
2004528211.tif 000009
2004528211.tif 000010
2004528211.tif 000011
2004528211.tif 000012
2004528211.tif 000013
【国際調査報告】
2004528211.tif 000014
2004528211.tif 000015
2004528211.tif 000016
2004528211.tif 000017
2004528211.tif 000018
2004528211.tif 000019